(57)【要約】【課題】防犯性の高いリュックサックを提供する。【解決手段】リュックサック１は、使用者の背中に接触する背中面２Ａとこの背中面２Ａの反対側に位置する前面２Ｂと背中面２Ａおよび前面２Ｂを接続する外周面２Ｃとによって袋状に形成された袋体２を備えるとともに、その袋体２の内外を連通させる手段として背中面２Ａのみに開閉可能なファスナー３を設けた構成になっている。【選択図】図１
0003205927.tif 000002
【実用新案登録請求の範囲】
【請求項１】
使用者の背中に接触する背中面とこの背中面の反対側に位置する前面と前記背中面および前記前面を接続する外周面とによって袋状に形成された袋体を備えてなるとともに、その袋体の内外を連通させる手段として前記背中面のみにファスナーが設けられていること
を特徴とするリュックサック。
【考案の詳細な説明】
【技術分野】
【０００１】
本考案は、通勤、通学、アウトドア等の様々な場面において荷物を運ぶ手段として利用されるリュックサックに関し、特に、その防犯性を高めたものである。
【背景技術】
【０００２】
従来から、通勤、通学、アウトドア等の様々な場面において荷物を運ぶ手段として、リュックサックが利用されている（例えば、特許文献１を参照）。
【０００３】
この種の従来のリュックサックは、袋体で構成されるとともに、その袋体の外周面あるいは前面（使用者の背中に接触する背中面の反対側に位置する面）に開閉可能なファスナーを有している。
【０００４】
そして、前記のようなファスナーを備えた従来のリュックサックでは、当該ファスナーの開操作によって、袋体の内外を連通させ、その内外の連通部分、すなわち前記開操作によって開いたファスナーの開口を通じて、袋体内から荷物を取り出したり袋体内に荷物を収めたりする等、リュックサックにおける荷物の出し入れを可能としている。
【０００５】
しかしながら、先に説明した従来のリュックサックによると、前記の通り、袋体の外周面あるいは前面にファスナーが設けられる構成になっている。このため、従来のリュックサックを使用者が背負うと、使用者の側方や後方から他人が十分目視可能な位置に、当該リュックサックのファスナーが現れてしまうこと、使用者にとってその側方や後方は視野外となるため無防備であることから、見知らぬ他人による当該ファスナーの操作が比較的容易であり、防犯性が低いという問題点を有している。
【先行技術文献】
【特許文献】
【０００６】
【特許文献１】特開２０１３−９４５１４号公報
【考案の概要】
【考案が解決しようとする課題】
【０００７】
本考案は、前記問題点を解決するためになされたものであり、その目的は、防犯性の高いリュックサックを提供することである。
【課題を解決するための手段】
【０００８】
前記目的を達成するために、本考案は、使用者の背中に接触する背中面と、この背中面の反対側に位置する前面と、前記背中面および前記前面を接続する外周面とによって袋状に形成された袋体を備えてなるとともに、その袋体の内外を連通させる手段として前記背中面のみにファスナーが設けられていることを特徴とする。
【考案の効果】
【０００９】
本考案では、リュックサックの具体的な構造として、前記の通り、リュックサックの背中面のみに開閉可能なファスナーが設けられる構成を採用した。このため、使用者がリュックサックを背負ったときに、当該ファスナーは使用者の背中が邪魔になって外部から見えない隠れた位置に配置されることから、使用者に気づかれることなく当該ファスナーを他人が開閉操作することは略不可能であり、この点において防犯性の高いリュックサックを提供し得る。
【図面の簡単な説明】
【００１０】
【図１】図１（ａ）は本考案を適用したリュックサックの正面図、同図（ｂ）はそのリュックサックの側面図、同図（ｃ）はそのリュックサックの背面図。
【考案を実施するための形態】
【００１１】
以下、本考案を実施するための最良の形態について、添付した図面を参照しながら詳細に説明する。
【００１２】
図１（ａ）は本考案を適用したリュックサックの正面図、同図（ｂ）はそのリュックサックの側面図、同図（ｃ）はそのリュックサックの背面図である。
【００１３】
図１（ａ）（ｂ）（ｃ）を参照すると、本実施形態のリュックサック１は、使用者の背中に接触する背中面２Ａとこの背中面２Ａの反対側に位置する前面２Ｂと背中面２Ａおよび前面２Ｂを接続する外周面２Ｃとによって袋状に形成された袋体２を備えるとともに、その袋体２の内外を連通させる手段として背中面２Ａのみに開閉可能なファスナー３を設けた構成になっている。
【００１４】
前記ファスナー３はその開操作によって袋体２の内外を連通させることができ、その内外の連通部分、具体的には前記開操作によって開いたファスナー３の開口を通じて、袋体２内から荷物を取り出したり袋体２内に荷物を収めたりする等、リュックサック１における荷物の出し入れが可能となる。なお、ファスナー３が閉じられた状態のとき、前記のようなリュックサック１における荷物の出し入れを行うことはできない。
【００１５】
図１（ｃ）を参照すると、本実施形態のリュックサック１では、前記ファスナー３を背中面２Ａの４箇所（具体的には背中面２Ａの上下部と左右部）に設けており、上下部のファスナー３は左右横方向へのスライドによって開閉する構成、そして、左右部のファスナー３は上下縦方向へのスライドによって開閉する構成になっているが、これに限定されることはない。例えば、当該ファスナー３が設けられる位置は背中面２Ａの範囲内において適宜変更することができ、また、そのファスナー３の本数も必要に応じて適宜増減することができる。
【００１６】
また、図１（ｃ）を参照すると、本実施形態のリュックサック１は、その背中面２Ａに肩ベルト４を取り付けてある。この肩ベルト４は、背中面２Ａの左右両側に一本ずつ並べて設けられており、それぞれの肩ベルト４の上下端部４Ａ、４Ｂ側は、リュックサック１の背中面２Ａに固定された状態になっている。
【００１７】
前記のように上下端部４Ａ、４Ｂを固定した肩ベルト４と背中面２Ａとの間に使用者の腕を通し、その肩ベルト４の上端部４Ａ側を使用者の肩に引っ掛けることにより、本実施形態のリュックサック１は、使用者の背中に背負われた状態になる。
【００１８】
前記のように使用者がリュックサック１を背負った状態のとき、そのリュックサック１の背中面２Ａに位置する前述のファスナー３は使用者の背中が邪魔になって外部から見えない隠れた位置に配置されるから、使用者に気づかれることなく他人が当該ファスナー３の開閉操作することは略不可能である。この点で本実施形態のリュックサック１は防犯性が高い。
【００１９】
また、前述の通り、使用者がリュックサック１を背負った状態のときに、ファスナー３は外部から見えない隠れた位置に配置される点、および、図１（ａ）および（ｂ）に示されている通り、リュックサック１の前面２Ｂや外周面２Ｃにはポケットも何もない形態になっている点で、本実施形態のリュックサック１はシンプルでスタイリッシュなデザインである。
【００２０】
本発明は、以上説明した実施形態に限定されるものではなく、本発明の技術的思想内で当分野において通常の知識を有する者により多くの変形が可能である。
【符号の説明】
【００２１】
１  リュックサック
２  袋体
２Ａ  背中面
２Ｂ  前面
２Ｃ  外周面
３  ファスナー
４  肩ベルト
４Ａ  肩ベルトの上端部
４Ｂ  肩ベルトの下端部
【図１】
0003205927.tif 000003